(57)【要約】【課題】装着できる確率が高く、また装着後も電子機器全体の取り扱い性が損なわれないセンサー装置を提供することを目的とする。【解決手段】センサー装置１００は単三型の電池形状を有する。検出センサー１５０ａは、Ｘ軸ジャイロ（ピッチ）、Ｙ軸ジャイロ（ロール）、Ｚ軸ジャイロ（ヨー）についての各データを動き情報として検出する。動き情報記録部１５０ｂは、検出された動き情報をセンサー回路１５０内のメモリに記録する。情報出力部１５０ｃは、記録された動き情報を正極用の電極端子１２０および負極用の電極端子１３０を介して出力する。電源出力部１５０ｄは、動き情報に基づいて電源の出力を制御することによって、電子機器の動作を制御する。【選択図】図３
2007198888.tif 000002
【特許請求の範囲】
【請求項１】
筐体内に、ジャイロセンサー等動き情報に関する検出センサーを有するセンサー装置であって、
前記筐体の形状は、所定の電池形状であることを特徴とするセンサー装置。
【請求項２】
請求項１に記載のセンサー装置であって、
前記所定の電池形状は、日本工業規格（ＪＩＳ）などの公的規格により定められる形状であることを特徴とするセンサー装置。
【請求項３】
請求項１または２に記載のセンサー装置であって、
前記筐体内に、前記所定の電池形状に応じて定まる形状を有する電池を備えることを特徴とするセンサー装置。
【請求項４】
請求項１ないし３のいずれか一項に記載のセンサー装置であって、
前記筐体内に、当該筐体の姿勢方向を検出する方位センサーを有し、前記検出センサーは前記方位センサーの検出結果に基づいて前記動き情報を検出することを特徴とするセンサー装置。
【請求項５】
請求項１ないし４のいずれか一項に記載のセンサー装置であって、
前記検出センサーが検出した前記動き情報を記録する動き情報記録部を、前記筐体内に備えることを特徴とするセンサー装置。
【請求項６】
請求項１ないし５のいずれか一項に記載のセンサー装置であって、
前記筐体には正極用と負極用の電極端子が設けられ、当該電極端子から前記動き情報を出力する情報出力部を、前記筐体内に備えることを特徴とするセンサー装置。
【請求項７】
請求項６に記載のセンサー装置であって、
前記情報出力部は、前記検出センサーが検出した前記動き情報の検出結果に応じて当該動き情報を出力することを特徴とするセンサー装置。
【請求項８】
請求項６または７に記載のセンサー装置であって、
前記筐体内に、前記所定の電池形状から定まる前記公的規格に準じた電圧および電流を、前記電極端子から出力する電源出力部を更に備えることを特徴とするセンサー装置。
【請求項９】
請求項８に記載のセンサー装置であって、
前記電源出力部は、前記電極端子から出力される前記電圧と電流のうち少なくとも一方の出力を、前記検出センサーが検出した前記動き情報の検出結果に応じて制御することを特徴とするセンサー装置。
【請求項１０】
請求項９に記載のセンサー装置であって、
前記電源出力部は、前記検出センサーが検出した前記動き情報の検出結果が、所定の時間、第１の閾値以上の振幅を有する振動状態が継続した場合、若しくは第２の閾値以内の振幅を有する振動状態が継続した場合のいずれか一方を満たすとき、前記電極端子から出力される前記電圧および電流のうち少なくとも一方の出力を抑制するように制御することを特徴とするセンサー装置。
【発明の詳細な説明】
【技術分野】
【０００１】
本発明は、筐体内に、ジャイロセンサー等動き情報に関する検出センサーを有するセンサー装置に関する。
【背景技術】
【０００２】
近年、電子機器にジャイロ等の動きを検出するセンサーを組み込み、電子機器の機能に関しての補正や制御をしたり、あるいはジャイロが組み込まれた電子機器を用いて別の電子機器を制御したりすることも行われるようになった。
【０００３】
例えば、デジタルカメラではジャイロを用いてデジタルカメラの動き情報を取得し、この動き情報に基づいて撮影画像を補正して手振れを防止することが行われている。また、特許文献１では、携帯電話に備えられたカードスロットに、ジャイロが内蔵されたカードを差し込むことによって携帯電話に動き情報を送り、携帯電話の通信機能を使ってテレビの機能操作を行う技術も開示されている。
【０００４】
【特許文献１】特開２００３−２７１３０２号公報
【発明の開示】
【発明が解決しようとする課題】
【０００５】
しかしながら、特許文献１の技術では、カード内にジャイロを内蔵させるために必要なスペースを要するため、本来のカードのサイズに対して外形が大きくなってしまう。その結果、カード装着時には、携帯電話の筐体外への飛び出し量も多くなり、ジャイロが装着された機器全体では、取り扱い性が悪くなってしまうという課題がある。また、カードスロットが設けられていない携帯電話ではジャイロを装着することはできないという課題もある。
【０００６】
本発明は、このような課題に鑑みてなされたもので、装着できる確率が高く、また装着後も電子機器全体の取り扱い性が損なわれないセンサー装置を提供することを目的とする。
【課題を解決するための手段】
【０００７】
上記課題を解決するために本発明は、筐体内に、ジャイロセンサー等動き情報に関する検出センサーを有するセンサー装置であって、前記筐体の形状は、所定の電池形状であることを特徴とする。
【０００８】
この構成によれば、電池を装着して使用する電子機器において、センサー装置を、この電子機器が使用する電池と同じ形状にするので、この電池の装着スペースにセンサー装置をセットすることができる。従って、電子機器にセンサー装置をセットするためのスペースを新たに設ける必要がない。特に、電池が電子機器の内部に装着される場合は、セットされたセンサー装置が電子機器の外へ飛び出ることがなく、電子機器の取り扱い性は損なわれない。
【０００９】
ここで、前記所定の電池形状は、日本工業規格（ＪＩＳ）などの公的規格により定められる形状であることとしてもよい。
【００１０】
電池は、ＪＩＳやＡＮＳＩ（American  National  Standard  Institute）などの公的規格によって、その種類と形状が定められており、通常電子機器には、この公的規格によって定められた形状の電池が電源として使用されることが多い。従って、センサー装置の形状を、この公的規格で定められた電池形状にすることによって、電子機器に設けられた電池スペースにセットできる確率が高くなる。
【００１１】
さらに、本発明のセンサー装置は、前記筐体内に、前記所定の電池形状に応じて定まる形状を有する電池を備えることとしてもよい。
【００１２】
こうすれば、センサー装置内に電池を有することによって、電子機器に対してセンサー装置は電源として機能することが可能となる。また、センサー装置が機能するために必要な電源についても、センサー装置外部から供給する必要がなくなる。従って、センサー装置のみで機能することが可能となる。
【００１３】
例えば、電池形状が単三型のアルカリ乾電池（ＪＩＳ呼称：ＬＲ６）の形状であった場合、センサー装置の筐体内に、挿入可能な大きさを有する公的規格で定められたアルカリ電池（例えば、単四型アルカリ乾電池や、単五型アルカリ乾電池）を備えることとするとよい。もとより、センサー装置に内蔵する電池は、センサー装置内に組み込むことができる形状であれば何でも良く、このような公的規格で定められたものでなくても差し支えない。
【００１４】
また本発明のセンサー装置は、前記筐体内に、当該筐体の姿勢方向を検出する方位センサーを有し、前記検出センサーは前記方位センサーの検出結果に基づいて前記動き情報を検出することとしてもよい。
【００１５】
センサー装置の形状が、特に上述したような単三型のアルカリ乾電池の形状であった場合は円筒型の形状を有するため、円筒の軸を中心に自由に回転する。従ってジャイロセンサーなどの動き情報に関する検出センサーについて、検出した動き情報についての方向がセンサー装置の回転によって変化してしまう。そこで、どの方向への動きを検出しているのかを判断するために、動きの基準となる方向を検出する方位センサーを備え、センサー装置が回転しても、この方位センサーから得られる向きないし方位を基準とすることで、電子機器の動く方向を動き情報によって精度良く把握することができる。
【００１６】
さらに本発明のセンサー装置は、前記検出センサーが検出した前記動き情報を記録する動き情報記録部を、前記筐体内に備えることが好ましい。
【００１７】
こうすれば、動き情報がセンサー装置に記録されるため、動き情報の検出後でも、記録された動き情報をセンサー装置から取得することができる。例えば、セットされた電子機器からセンサー装置を取り外した後に、このセンサー装置に記録された動き情報から電子機器の動きを把握することができる。
【００１８】
ここで、前記筐体には正極用と負極用の電極端子が設けられ、当該電極端子から前記動き情報を出力する情報出力部を、前記筐体内に備えることとしてもよい。
【００１９】
こうすれば、電子機器の動き情報を電極端子を介して出力することができる。従って、電子機器に対する電源の供給と同時に、動き情報を供給することができる。この結果、センサー装置と電子機器との間に、動き情報を供給するための特別なインターフェイスを設ける必要がない。
【００２０】
さらに、前記情報出力部は、前記検出センサーが検出した前記動き情報の検出結果に応じて当該動き情報を出力することとしてもよい。
【００２１】
こうすれば、電子機器が所定の動きを行ったとき、この所定の動きについての動き情報を出力することが可能となる。
【００２２】
また、前記筐体内に、前記所定の電池形状から定まる前記公的規格に準じた電圧および電流を、前記電極端子から出力する電源出力部を更に備えることとしてもよい。
【００２３】
こうすれば、センサー装置を電子機器が使用する電池の1個としても扱うことができる。この結果、センサー装置がセットされた状態でも、電子機器の動作が損なわれることがない。
【００２４】
ここで、前記電源出力部は、前記電極端子から出力される前記電圧と電流のうち少なくとも一方の出力を、前記検出センサーが検出した前記動き情報の検出結果に応じて制御することとしてもよい。
【００２５】
こうすれば、電子機器が例えば携帯ＴＶであったような場合、動き情報が電子機器の裏返った状態を示す検出結果であれば、ＴＶ画面を観賞することはできないので、電圧若しくは電流を抑制してＴＶ画面を消したり暗くしたりすることによって、電池の消耗を防ぐことができる。
【００２６】
また、前記電源出力部は、前記検出センサーが検出した前記動き情報の検出結果が、所定の時間、第１の閾値以上の振幅を有する振動状態が継続した場合、若しくは第２の閾値以内の振幅を有する振動状態が継続した場合のいずれか一方を満たすとき、前記電極端子から出力される前記電圧および電流のうち少なくとも一方の出力を抑制するように制御することとしてもよい。
【００２７】
例えば、電子機器が、持ち歩くことが可能な携帯ＴＶの場合、観賞者は通常携帯ＴＶを手に持って移動しながら観賞する。このような場合、移動中では携帯ＴＶが大きく振動することがあり得る。このようなとき、ＴＶ画面を観賞することは困難で、大抵ＴＶの観賞者はＴＶ画面の観賞を止める。そこで、このような大きな振動状態が所定の時間続いたときは、電圧若しくは電流を制御することにする。こうすればＴＶ画面を消したり暗くしたりすることができ、この結果、電池の消耗を防ぐことができる。
【００２８】
また、携帯ＴＶを持ち歩かず机上などに静置している場合は、ＴＶ画面を観賞していないことが多い。このような場合は携帯ＴＶは殆ど振動しない状態か小さい振動状態と考えてよい。そこで、このような小さい振動状態が所定の時間続いたときは、電圧若しくは電流を制御することにする。こうすれば、ＴＶ画面を消したり暗くしたりすることができ、この結果、電池の消耗を防ぐことが可能となる。
【発明を実施するための最良の形態】
【００２９】
以下、本発明を具体化した実施形態について、実施例を用いて説明する。
【００３０】
図１は本発明のセンサー装置の一実施例を示している。また図２は、図１に示したセンサー装置が組み込まれる電子機器の一実施例を示したものである。
【００３１】
図１に示したように、センサー装置１００は円筒型の形状を有し、本実施例ではＪＩＳ規格で定められた単三型の電池形状である。そして、このセンサー装置１００は、円筒軸方向をＸ軸とし、このＸ軸と直交しつつ互いに直交する２つの軸を、それぞれＹ軸、Ｚ軸としたとき、Ｘ、Ｙ、Ｚの各軸周りの動き（ジャイロ）となるピッチ、ロール、ヨーについてのデータを動き情報として検出する。
【００３２】
一方、図２に示したように本実施例では、電子機器は携帯ＴＶであり、単三型の乾電池ＢＴ４本を電源としているものとする。従って、センサー装置１００は単三型の電池形状を有していることから、この乾電池ＢＴの１本分のスペースにセンサー装置１００を組み込むことができる。そして、組み込まれたセンサー装置によって、携帯ＴＶの動き情報が検出され、後述するように、この検出された動き情報を用いて携帯ＴＶの動作を制御するのである。
【００３３】
通常、電子機器は、図２に示したように電源を入れたり切ったりして電源出力を制御する電源スイッチボタンＳＷを備え、この電源スイッチボタンＳＷの操作によって電子機器の動作を制御するが、本実施例のようにセンサー装置１００を電子機器に組み込むことによって、電源スイッチボタンＳＷの操作による電源出力の制御以外で、電子機器の動作を制御することも可能となる。例えば、携帯ＴＶを机上等に静置した場合、センサー装置は動きがないという動き情報を検出することになる。このようなとき、携帯ＴＶの電源を切るように制御すれば、ＴＶの観賞者が電源を切り忘れても、自動的に電源が切れ電池の消耗が抑制できるのである。
【００３４】
それでは、このような動作制御を行うセンサー装置１００について、その具体的な構成を図３、図４により説明する。
【００３５】
図３は、センサー装置１００の概略構成を示す説明図である。このセンサー装置１００は、センサー回路１５０、サブ電池１１０、正極用の電極端子１２０、負極用の電極端子１３０を備え、それぞれの間を結線手段１７１、１７２、１７３によって電気的に導通結線している。結線手段１７１〜１７３は、リード線やバネなど電気的に導通するものであれば何でもよい。また、サブ電池の取り替えができるように、サブ電池１１０の着脱が可能なように結線手段１７１、１７３を構成すると更によい。
【００３６】
このような構成によって、サブ電池１１０はセンサー回路１５０の動作用の電源として機能したり、正極用の電極端子１２０および負極用の電極端子１３０から外部へ供給する電源としても機能したりすることができる。つまり、センサー装置１００は、１個の電池としても機能することができるのである。本実施例では、センサー装置１００は単三型の電池形状であることから、サブ電池１１０の大きさは単三型の電池形状よりも小さい例えば単五型の電池形状を有する。もとより、センサー装置１００に収納可能な大きさであれば、ＪＩＳ規格などの公的規格が定める電池形状にこだわらず、他の電池形状であっても何ら差し支えない。
【００３７】
センサー回路１５０は、検出センサー１５０ａと動き情報記録部１５０ｂと情報出力部１５０ｃと電源出力部１５０ｄとを構成している。センサー回路１５０を図３では便宜上円筒型形状で示しているが、基本的に半導体や回路基板などの電子部品と検出センサーであるジャイロセンサーとから構成されており、もとより、検出センサーや各部が、図３に示したような円筒型ケースに収納されているものとしても差し支えない。
【００３８】
検出センサー１５０ａは、前述したようにＸ軸ジャイロ（ピッチ）、Ｙ軸ジャイロ（ロール）、Ｚ軸ジャイロ（ヨー）についての各データを動き情報として検出する。動き情報記録部１５０ｂは、検出された動き情報をセンサー回路１５０内のメモリ（後述する）に記録する。情報出力部１５０ｃは、記録された動き情報を正極用の電極端子１２０および負極用の電極端子１３０を介して出力する。そして、電源出力部１５０ｄは、動き情報に基づいて電源の出力を制御することによって、電子機器の動作を制御する。
【００３９】
図４は、センサー回路１５０の回路構成を示す説明図である。センサー回路１５０には、ＣＰＵ１５５、ＲＡＭ１５６、ＲＯＭ１５７、入力インターフェイス（Ｉ／Ｆ）１５２、出力インターフェイス（Ｉ／Ｆ）１５８が構成され、ＣＰＵ１５５は、これらをバスラインを介して制御する。入力Ｉ／Ｆ１５２は、アナログ／デジタル（Ａ／Ｄ）変換された検出センサー１５０ａからのデータを取り込み、所定の形式のデータ値として動き情報をバスラインに出力するためのインターフェイス回路である。出力Ｉ／Ｆ１５８は、サブ電池１１０を含む電源の出力を制御するインターフェイス回路である。また、ＲＡＭ１５６は、入力Ｉ／Ｆ１５２から出力される動き情報を記録するためのメモリである。そして、ＣＰＵ１５５は、ＲＯＭ１５７に格納されたプログラムを適宜読み出して実行することによって、上述した動き情報記録部１５０ｂと情報出力部１５０ｃと電源出力部１５０ｄとして機能する。
【００４０】
もとより、本実施例では、ＲＯＭ内に格納されたプログラムに従いＣＰＵがＲＡＭにデータを保存したり読み出したりするソフト回路によってセンサー回路１５０を構成するものとしたが、例えばゲート回路を組み合わせた論理回路など、ＣＰＵを用いないハード回路によってセンサー回路１５０を構成するものとしてもよい。
【００４１】
次に、上述した動き情報記録部１５０ｂ、情報出力部１５０ｃ、電源出力部１５０ｄが行う機能について、具体例をあげて順次説明する。
【００４２】
（動き情報記録部）
図４において、ＣＰＵ１５５が入力Ｉ／Ｆ１５２から動き情報となるデータ値を読み取り、前述したメモリとしてのＲＡＭ１５６に記録することで動き情報記録部１５０ａとして動作する。本実施例では、動き情報の記録の開始や終了は、電子機器の操作者が、図２において電源スイッチボタンＳＷの操作を行ったときに行われるものとする。もとより、チャンネルボタンの操作や音量調節ボタン（図示せず）の操作を行ったときなど、所定のボタンの操作に合わせて記録の開始又は終了としても差し支えない。
【００４３】
この場合、ＣＰＵ１５５は、出力Ｉ／Ｆ１５８を介して、所定のボタン操作に応じた電圧値や電流値の変化など電源出力の変化を検知し、検知した変化具合に応じて、動き情報の記録の開始または終了を判断することとすればよい。
【００４４】
動き情報の記録開始後、記録は所定の時間間隔で行われる。動きを大まかに検出する場合は時間間隔を長くし、動きを細かく検出する場合は時間間隔を短くする。もとより、動き情報の結果から時間間隔を変化させてもよい。こうすれば、動き具合にあわせて記録頻度を変更することになるので、動き情報をほぼ正確に記録することができる。
【００４５】
また、動き情報の記録を所定の時間分とし、ＦＩＦＯ（先入れ先出し）形式で記憶するものとしても差し支えない。こうすれば、メモリの容量を軽くすることができる。
【００４６】
ところで、センサー装置１００内にサブ電池１１０が収納されていない場合、センサー装置１００が電子機器に組み込まれていない状態ではセンサー回路１５０に電源が供給されないことになる。このような場合には、ＲＡＭ１５６としてＳＲＡＭ（Static  Random  Access  Memory）など記憶保持動作が不要なメモリを用いるようにするとよい。こうすれば、センサー装置１００を電子機器から取り外しても、記録された動き情報をメモリに保持することができる。
【００４７】
（情報出力部）
次に、情報出力部１５０ｃの機能について説明する。図４において、ＣＰＵ１５５が記録された動き情報をＲＡＭ１５６から読み出し、出力Ｉ／Ｆ１５８を介して電極端子から出力することで情報出力部１５０ｃとして動作する。
【００４８】
動き情報は通常「１」と「０」の２値のデータ値で構成されることから、この２値データに基づいて出力電圧を振幅変調することにより、動き情報を電源出力に重畳させることができる。この結果、動き情報を電源出力として電極端子から出力することが可能となる。これ以外にも、出力電圧を周波数変調するなどの方法により、動き情報を電源出力に重畳させて電極端子から出力することとしてもよい。
【００４９】
動き情報のデータは、センサー装置１００から電源が出力されている間、前述した所定の時間間隔で出力される。こうすることによって、出力された動き情報からセンサー装置１００が組み込まれた電子機器が動いた軌跡を所定の時間間隔で把握することができる。そして、例えば、電子機器が図２で示した携帯ＴＶの場合、携帯ＴＶのＴＶ画面に地図を表示し、表示した地図上に携帯ＴＶが動いた軌跡を表示することによって、携帯ＴＶをナビゲーションとして利用することも可能となる。
【００５０】
（電源出力部）
次に、電源出力部１５０ｄの機能について説明する。図４において、ＣＰＵ１５５が記録された動き情報をＲＡＭ１５６から読み出し、出力Ｉ／Ｆ１５８を介して電極端子からの電源出力を制御することで電源出力部１５０ｄとして動作する。
【００５１】
本実施例における電源出力部１５０ｄが行う電源出力の制御について説明する。ＣＰＵ１５５はＲＡＭ１５６に記録された動き情報を読み出し、動き情報の振幅変化を調べる。そして調べた振幅変化が所定の閾値以上かまたは所定の閾値以下となる振動状態であり、この振動状態が所定の時間Ｔｓの間継続した場合、出力Ｉ／Ｆ１５８を制御して電源出力を遮断する。もとより、電源出力を遮断せず、出力電圧または出力電流を下げるように抑制したり、あるいは所定の電圧値以下または所定の電流値以下に制限したりしてもよい。
【００５２】
図５（ａ）は、動き情報の振幅変化が所定の閾値である第１の閾値Ｓ１を超える振動状態が継続する様子を例示したものである。なお、ここではＣＰＵ１５５は前述したピッチ、ロール、ヨーのうちの１つのデータを動き情報として読み出したものとした。もとより、これら３つのデータのうち複数のデータを動き情報として読み出してもよい。
【００５３】
図５（ａ）では、振幅が第１の閾値Ｓ１を超える振動状態が、時間ｔ１から始まり、所定の時間Ｔｓを超える時間ｔ２まで継続した様子を示している。このような振動状態が継続したとき、時間ｔ２において電源出力を遮断する。電子機器が図２に示したような携帯ＴＶ場合、通常このような大きな振幅を有する振動があるとＴＶ画面の観賞は困難である。そこで、このような状態のときは携帯ＴＶの電源を切り、電池の消耗を抑制するのである。
【００５４】
一方、図５（ｂ）では、振幅が第２の閾値Ｓ２を下回る振動状態が、時間ｔ３から始まり、所定の時間Ｔｓを超える時間ｔ４まで継続した様子を示している。このような振動状態が継続したとき、時間ｔ４において電源出力を遮断する。電子機器が図２に示したような携帯ＴＶ場合、このような小さな振幅を有する振動が継続するのは、携帯ＴＶを使用せず机上等に放置した状態であると想定される。そこで、このような状態のときは携帯ＴＶの電源を切り、電池の消耗を抑制するのである。
【００５５】
上述したように本発明の実施例によれば、センサー装置を公的規格で定められた単三型の電池形状にすることによって、センサー装置を電子機器へ装着できる確率が高くなる。また、通常電子機器内に設けられる電池スペースに収まり、電子機器から飛び出すことなくセンサー装置を取り付けることができるため、装着後も電子機器全体の取り扱い性が損なわれない。
【００５６】
さらに、センサー装置内に電池を備えることによって、センサー装置も１つの電池として機能させることができ、電子機器の動作を損なうこともない。また、センサー装置が検出した振動状態に応じて電子機器の電源出力を制御する構成としたので、電池の消耗を抑制することも可能となる。
【００５７】
以上、本発明を適用した実施例について説明したが、本発明はこうした実施例に何ら限定されるものではなく、本発明の趣旨を逸脱しない範囲内において様々な形態で実施し得ることは勿論である。
【００５８】
(第１変形例)
例えば、上記実施例では、情報出力部１５０ｃにおいて、携帯ＴＶをナビゲーションとして利用することを目的として、動き情報のデータを所定の時間間隔で出力されるものとした。そこで第１変形例として、所定の時間間隔ではなくセンサー装置１００に所定の動きに基づく所定の信号が入ったとき、そのとき記録された動き情報のみを出力することとしてもよい。
【００５９】
例えば、動き情報が所定の閾値以上大きく変化したとき、この大きく変化した動き情報を所定の信号としてもよい。電子機器が急に動くことで検出センサーの検出値は大きく変化するため、入力Ｉ／Ｆ１５２から出力される動き情報も大きく変化する。そこで、このように急な電子機器の動きをトリガーにして動き情報を出力する。こうすれば、例えば電子機器を叩くなど、電子機器に急な動きをさせることで所定の信号とすることができる。
【００６０】
第１変形例におけるセンサー装置の活用例を図６用いて説明する。図６は、デジタルカメラに電池形状を有するセンサー装置１００を組み込み、情報出力部１５０ｃから出力さる動き情報の処理について説明する機能ブロック図である。もとより、これらの機能ブロックはデジタルカメラ内で構成されている。
【００６１】
図中破線で示した電池スペースに収納されたセンサー装置１００は、デジタルカメラの所定の閾値以上の振動を所定の動きとして検知し、そのとき記録される動き情報を、前述したように電源出力に重畳して出力する。本変形例ではシャッターボタンが押されたときにデジタルカメラに生じる振動を考慮して所定の閾値を設定する。こうすれば、シャッターを切ったときにセンサー装置から動き情報が出力されるようにすることができる。
【００６２】
電源出力は、一方では動き情報のデータによる変調部分をフィルタによって取り除き、デジタルカメラ用の本来の直流電源として用いる。他方では、この電源出力から動き情報のデータを抽出処理し、抽出されたデータを撮影画像タグデータとしてＥｘｉｆ形式などで記録する。
【００６３】
本変形例によれば、シャッターを切ったときのデジタルカメラの振動状態を撮影画像の付加情報として記録することができるため、手振れ補正など撮影画像についての処理が容易になる。
【００６４】
(第２変形例)
また、上記実施例では、センサー装置を単三型の電池形状とした。この場合、センサー装置を電子機器に方向を定めて組み込んでも、電池形状は円筒形状を有しているため、円筒軸まわりの回転が生じやすく、回転すると、図１に示したＹ軸、Ｚ軸は組み込み後方向が変化してしまう。そのため、検出方向が正しく検出されないことが生じ得る。
【００６５】
そこで、第２変形例として、センサー装置内に、基準となる方向を検出する方位センサーを備えることとしてもよい。こうすれば、センサー装置が回転しても動き情報についての方向を、方位センサーから得られる向きないし方位を基準として補正することによって、検出方向に対する動き情報を正しく把握することができる。
【００６６】
例えば図４において、入力Ｉ／Ｆ１５２は方位センサー（図示せず）から得られた方位データを動き情報とともに出力する。そしてＣＰＵ１５５は、出力された動き情報と方位データを用いて所定の演算を行い、最初に設定されたＸ軸、Ｙ軸、Ｚ軸周りのジャイロデータを求めることによって補正するようにすればよい。そしてＣＰＵ１５５は、補正後の各軸ジャイロデータをＲＡＭ１５６に動き情報として記録することで、精度良く電子機器の動きを記録できるのである。
【００６７】
方向センサーとしては、重力を検出する重力センサーや、地磁気を検出する磁気センサーなどが利用できる。またこれ以外にも、加速度センサーなどを利用することとしてもよい。
【００６８】
(第３変形例)
また、上記実施例では、センサー装置の形状を公的規格における呼称ＬＲ６の電池形状である単三型の電池形状としたが、特にこれに限らず、円筒型の他の大きさの電池や呼称００６Ｐなどの角型の電池形状としてもよい。また、電池の種類も乾電池などの一次電池に限らず充電池などの２次電池の形状としてもよい。
【００６９】
特に、センサー装置が角型の電池形状の場合は、センサー装置が電子機器に組み込み後回転することは起こりにくいと考えてよく、この場合はセンサー装置の筐体内に方位センサーを備えなくてもよい。
【００７０】
（第４変形例）
さらに、上記実施例では、電源出力部１５０ｄは電源出力の制御を行うものとしたが、これ以外にサブ電池１１０の電源出力を制御することとしてもよい。
【００７１】
上述したように、サブ電池１１０はセンサー装置１００内に収納されることから、センサー装置１００の電池形状によって定まる公的規格の電池の種類に準じて本来有すべき電圧値や電流値を供給できない場合が起こり得る。このような場合、電源出力部１５０ｄは、昇圧や降圧して電圧値を制御したり、電流増幅や電流制限によって電流値を制御したりして、センサー装置１００の形状によって定まる公的規格の電池の種類に準じた電圧値や電流値を出力するようにするのである。これらの制御は、電圧昇圧回路技術や電流増幅回路技術など周知の技術を用いればよい。
【図面の簡単な説明】
【００７２】
【図１】本発明のセンサー装置の一実施例を説明する説明図。
【図２】本発明のセンサー装置が組み込まれる電子機器の一実施例を示す説明図。
【図３】実施例におけるセンサー装置の概略構成を示す構成図。
【図４】センサー装置内のセンサー回路についてのブロック構成図。
【図５】（ａ）は、動き情報の振幅変化が第１の閾値Ｓ１を超える振動状態が継続する様子を示す説明図。（ｂ）は、動き情報の振幅変化が第２の閾値Ｓ２を下回る振動状態が継続する様子を示す説明図。
【図６】本発明のセンサー装置をデジタルカメラに組み込んだ場合の活用例。
【符号の説明】
【００７３】
１００…センサー装置、１１０…サブ電池、１２０…正極用の電極端子、１３０…負極用の電極端子、１５０…センサー回路、１５０ａ…検出センサー、１５０ｂ…動き情報記録部、１５０ｃ…情報出力部、１５０ｄ…電源出力部、１５２…入力Ｉ／Ｆ、１５５…ＣＰＵ、１５６…ＲＡＭ、１５７…ＲＯＭ、１５８…出力Ｉ／Ｆ、１７１〜１７３…結線手段、ＢＴ…乾電池、ＳＷ…電源スイッチボタン。
【図１】
2007198888.tif 000003
【図２】
2007198888.tif 000004
【図３】
2007198888.tif 000005
【図４】
2007198888.tif 000006
【図５】
2007198888.tif 000007
【図６】
2007198888.tif 000008